(57)【要約】長距離電話システムにおける不正な特別サービス呼び出し（図３）を遮断するためのシステムおよび方法が開示されている。地域電話会社（ＬＥＣ）内の開始番号の自動番号識別子（ＡＮＩ）は、長距離通信業者のサービス管理システム（ＳＭＳ）データベースにおける特別サービス呼び出し番号レコードにＡＮＩを含むことにより、一定の特別のサービス呼び出し番号を呼び出すことから遮断される。遮断されるＡＮＩは、一定のネットワークトラフィックフロー閾値に基づいて、不正制御から選択される。長距離通信業者における切り換え要素が、特定の特別サービス呼び出しのためのＳＭＳレコードを検索すると、呼び出しの開始がＳＭＳレコードのＡＮＩに合致するかが判定される。合致すれば、呼び出しは遮断される。
2004528789.tif 000002
【特許請求の範囲】
【請求項１】
電話ネットワークにおける特別サービス呼び出し不正を防ぐための方法であって、
ａ）少なくとも一つのレコードを維持するステップを含み、各レコードは特別サービス呼び出し番号に関連し、
ｂ）レコードに開始番号識別を追加するステップと、
ｃ）特別サービス呼び出しの開始が、特別サービス呼び出し番号に関するレコードにおける開始番号識別によって提示されるとき、終了特別サービス呼び出し番号に対するすべての呼び出しを遮断するステップを含む、方法。
【請求項２】
ステップ（ａ）の少なくとも一つのレコードは、サービス管理システム（ＳＭＳ）データベースで維持される、請求項１に記載の方法。
【請求項３】
開始番号識別は、自動番号識別（ＡＮＩ）である、請求項１に記載の方法。
【請求項４】
終了特別サービス呼び出し番号は「８００」番号である、請求項１に記載の方法。
【請求項５】
ステップ（ｂ）はさらに、
疑わしい活動に対する少なくとも一つの閾値を選択するステップと、
ネットワーク上の呼び出しをモニタするステップと、
開始番号に関するネットワーク活動が、終了特別サービス呼び出しに関して、前記少なくとも一つの閾値を超えるとき、終了特別サービス呼び出しのレコードに開始番号識別を置くステップを含む、請求項１に記載の方法。
【請求項６】
長距離電話システムにおける特別サービス呼び出し不正を防ぐための方法であって、前記電話システムは地域の電話トラフィックを伝送するために地域電話会社（ＬＥＣ）に接続され、
ａ）少なくとも一つのレコードを維持するステップを含み、各レコードは終了特別サービス呼び出し番号に関連し、
ｂ）ＬＥＣにおける番号開始の識別をレコードに追加するステップと、
ｃ）特別サービス呼び出しの開始が、特別サービス呼び出し番号に関するレコードにおける開始番号識別によって提示されるとき、終了特別サービス呼び出し番号に対するすべての呼び出しを遮断するステップを含む、方法。
【請求項７】
長距離電話システムを介して、特別サービス呼び出しをブリッジスイッチに経路制御するステップをさらに含み、前記ブリッジスイッチは呼び出し処理プラットフォームの制御下にあり、前記呼び出し処理プラットフォームはステップ（ｃ）の遮断を実行する、請求項６に記載の方法。
【請求項８】
少なくとも自動スイッチを使用して、長距離電話システムを介して特別サービス呼び出しを経路制御するステップをさらに含み、前記自動スイッチは自動切り換えおよび経路制御システムの制御下にある、請求項６に記載の方法。
【請求項９】
自動切り換えおよび経路制御システムはシグナルシステム７（ＳＳ７）である、請求項８に記載の方法。
【請求項１０】
電話システムにおける特別サービス呼び出し不正を防ぐための装置であって、
少なくとも一つのレコードを維持するためのデータベースを含み、各レコードは一つの特別サービス呼び出し番号に関連し、
前記レコードに開始番号識別を入力するための手段と、
特別サービス呼び出しを遮断するための手段を含み、前記特別サービス呼び出しは特別サービス呼び出し番号レコードにおける開始番号識別に対応する、開始番号を有している、装置。
【請求項１１】
遮断するための手段はさらに、
前記データベースから前記レコードを検索しかつ格納する手段と、
検索および格納するための前記手段から情報を抽出し、そして前記情報を少なくとも一つのスイッチに送信するための、前記検索および格納するための手段にコンタクトする手段と、
前記コンタクトするための手段から前記情報を受信し、そして前記情報がそのように提示すれば、特別サービス呼び出しを遮断するための、少なくとも一つの呼び出しを切り換えるためのスイッチを含み、
特別サービス呼び出しが開始番号から対応する特別サービス呼び出し番号になされ、対応する特別サービス呼び出し番号に対するレコードが前記開始番号に対応して開始番号識別を有しているとき、少なくとも一つのスイッチに送信される情報は特別サービス呼び出しを遮断するよう提示する、請求項１０に記載の装置。
【請求項１２】
シグナルシステム７（ＳＳ７）ネットワークにおいて、データベースはサービス管理システム（ＳＭＳ）データベースであって、検索するための手段はサービス制御ポイント（ＳＣＰ）であって、コンタクトするための手段はサービス切り換えおよび制御ポイント（ＳＳＣＰ）である、請求項１１に記載の装置。
【請求項１３】
遮断するための手段はさらに、
前記データベースから前記レコードを検索かつ格納するためのインテリジェントサービスネットワーク（ＩＳＮ）プラットフォームと、
ＩＳＮプラットフォームの制御下で、特別サービス呼び出しが、特別サービス呼び出し番号レコードにおいて、開始番号識別に対応する開始番号を有するとき、前記特別サービス呼び出しを経路制御しかつ切り換え、特別サービス呼び出しを遮断するための自動呼び出し分配器（ＡＣＤ）を含む、請求項１０に記載の装置。
【請求項１４】
前記レコードに開始番号識別を入力するための手段はさらに、
不正制御コンソールを含み、
ネットワークトラフィックが少なくとも一つの閾値を超えれば、警告が生成され、前記生成された警告は前記不正制御コンソールに報告される、請求項１０に記載の装置。
【請求項１５】
前記レコードに開始番号識別を入力するための手段はさらに、
ネットワークトラフィックが少なくとも一つの閾値を超えるとき、開始番号識別は前記レコードに入力されるべきかを判定するための自動不正制御プログラムを含む、請求項１０に記載の装置。
【請求項１６】
少なくとも一つのレコードで維持するためのデータベースは、サービス管理システム（ＳＭＳ）データベースである、請求項１０に記載の装置。
【請求項１７】
特別サービス呼び出し番号は「８００」番号である、請求項１０に記載の装置。
【請求項１８】
開始番号識別は自動番号識別（ＡＮＩ）である、請求項１０に記載の装置。
【請求項１９】
電話システムは少なくとも一つの地域電話会社（ＬＥＣ）と相互交換通信会社（ＩＸＣ）を含む、請求項１０に記載の装置。
【請求項２０】
ＩＸＣは少なくとも一つのレコードを維持するためのデータベースと、開始番号識別を入力するための手段と、特別サービス呼び出しを遮断するための手段を含み、少なくとも一つのＬＥＣは少なくとも一つの開始番号を有する、請求項１９に記載の装置。
【発明の詳細な説明】
【背景】
【０００１】
１．技術分野
この出願は一般に電気通信に関し、特に、電気通信ネットワークにおける不正な特別サービス呼び出しを検出し、停止することに関する。
２．関連技術の説明
典型的な電気通信ネットワークは、地理的なエリアの至る所に位置する複数の電気通信設備から成り立っている。ユーザが呼び出しを行うと、呼び出しはその宛先に到達する前に、各種の設備およびスイッチを介して経路制御されてもよい。ユーザがダイアルする電話番号は、呼び出しをどのように経路制御するかについての情報を提供する。
【０００２】
例として、ユーザが長距離呼び出しを行うと考える。典型的に、ユーザはＤＤＤ（直接長距離ダイアル）番号として知られている、１−５１６−５５５−１２３４のような１０桁の番号をダイアルする。ＤＤＤ番号の様式は、１−ＮＰＡ−ＮＸＸ−ＸＸＸＸとして表されることが可能で、そこでＮＰＡ（番号エリア計画）は受取人の地理的な場所に関係し、ＮＸＸは呼び出しが経路制御される必要がある中央オフィス交換機を識別する、終了交換機に関係する。
【０００３】
しかしながら、現代の電気通信ネットワークは直接長距離ダイアルを超えて、多くのサービスを提供する。長距離通信業者は、無料通話呼び出し、呼び出しカード呼び出し、特別料金呼び出しなどのような、特別サービスを顧客に提供する「７００」、「８００」および「９００」電話呼び出しのような、特別サービス呼び出し処理を提供する。
【０００４】
「８００」番号は長距離通信業者によって提供される、自動化された呼び出し経路制御サービスである。一般的に、「８００」番号は、会議、相談およびブラインド転送のような呼び出しリダイレクション特性を呼び出し者に許可する。最もよく知られた実施例において、「８００」番号は、呼び出し者よりもむしろ受取人が呼び出しに対する電話料金を支払うために、ユーザが請求を逆にすることを許可する。「８００」サービスが大企業や他の実体にとって貴重であるのは、顧客の呼び出しが効率的な方法で多数の法人の位置の任意のものに向けられてもよいからである。この特別な「８００」サービスを使用すると、呼び出し者は様式１−８００−ＮＸＸ−ＸＸＸで、１０桁の番号をダイアルする。「８００」は特定の地理的なエリア、あるいは、従ってＮＰＡを指定しないので、それらの最初の数字（「８００」）はサービスアクセスコード（ＳＡＣ）として参照される。
【０００５】
図１は「８００」番号を使用して、特別サービス長距離電話呼び出しの経路制御の図式的表示である。呼び出しはユーザの電話１０で開始し、地域電話会社（ＬＥＣ）２０を介して経路制御される。ＬＥＣは地域電話操作会社（ＲＢＯＣ）のような地域の電話会社を言う。ＬＥＣはその顧客に対して地域の通信サービスを提供する。電話呼び出しの長距離通信はＭＣＩ−Ｗｏｒｌｄｃｏｍのような相互交換通信会社（ＩＸＣ）３０によって提供される。ＩＸＣはＬＥＣ内のアクセスポイント（ＰＯＰ）でＬＥＣとインターフェイスする。ＰＯＰは、ＩＸＣが長距離ネットワークへのアクセスを提供するＬＥＣ内の物理上の位置である。ＬＥＣスイッチ２２および２４を介した切り換えの後、呼び出しが「８００」番号であると判定される。
【０００６】
この点で、供給するＬＥＣ２０は、呼び出しに関する経路制御情報を入手するために、集中型のサービス管理システム（ＳＭＳ）データベース１００にアクセスしなければならない。図１において、集中型のＳＭＳがベルコアのＳＭＳ１００であるのは、ベルコアＳＭＳ１００がＬＥＣに対して集中型のＳＭＳとして仕えるからである。このアクセスの間、ＬＥＣ２０は開始自動番号識別子（ＡＮＩ）が、呼び出しの経路制御に関する情報をダウンロードするのと同様に、特定の「８００」番号への呼び出しから遮断されるかを知るために調査する。実際は、ＬＥＣ２０はベルコアＳＭＳ１００から定期的にダウンロードされる自身のＳＭＳレコードを維持してもよい。
【０００７】
ＬＥＣが「８００」呼び出しに関する適当な経路制御情報を判定すると、呼び出しをＩＸＣスイッチ３１で適切なＩＸＣネットワーク内に転送する、適切なＰＯＰ２５へ呼び出しは経路制御される。ＩＸＣスイッチ３１はサービス切り換えおよび制御ポイント（ＳＳＣＰ）４１に、呼び出し者のダイアルされた長距離「８００」電話番号および自動番号識別子（ＡＮＩ）で合図する。ＳＳＣＰ４１は電気通信ネットワークで使用される切り換えおよび経路制御４０の一部である。一例がシグナルシステム７（ＳＳ７）ネットワークの要素であり、それは技術的に公知である。ＳＳＣＰ４１は、呼び出し処理アプリケーションを提供するために、インテリジェント周辺装置（ＩＰ）４２を使用して、電話呼び出しを受信しかつ処理する。ＳＳＣＰはまた呼び出し処理に関連するデータの格納および検索のために、サービスデータポイント（ＳＤＰ）４５を使用する。ＳＤＰ４５はネットワーク情報、データベース管理、およびＩＸＣネットワーク３０のための管理サポートを提供する、ＩＸＣサービス管理システム（ＩＸＣ  ＳＭＳ）５０の一部である。
【０００８】
ＩＸＣ  ＳＭＳ５０は各種サービスポイントを維持しかつ更新する。ＩＸＣ  ＳＭＳ５０の主要な責任は、呼び出しを完全に経路制御するために要求されるデータに対する、ＩＸＣスイッチ３１−３４およびブリッジスイッチ３５のような切り換えポイントからの問い合わせに応答することである。ＳＳＣＰ４１はＩＸＣスイッチ３１−３４に対する経路制御番号を検索しそして戻し、ＩＸＣスイッチ３１−３４は、地域の経路制御テーブルへアクセスするためにそれを使用する。ＩＸＣスイッチ３１−３４は地域の経路制御テーブルからの特別な経路制御情報を入手し、その情報を呼び出しを転送するために使用する。例えば、呼び出しはＩＸＣネットワーク３０を介してＩＸＣスイッチ３１から、ＩＸＣスイッチ３２および３３を介してＩＸＣスイッチ３４へ飛んでもよく、そこで呼び出しはＩＸＣネットワーク３０を出る。その点で、呼び出しはＰＯＰ６５でＬＥＣ６０に入り、そこから呼び出しはＬＥＣスイッチ６２および６４を介して、最終的に電話ユニット７０と接続するまで、切り換えられる。
【０００９】
例において、一つのＳＤＰ、一つのＳＳＣＰおよびいくつかのＩＸＣスイッチが存在するが、ネットワークのインフラストラクチャの構成には制限はない。例えば、いくつかのＳＳＣＰは一つのＳＤＰを使用してもよく、あるいは各ＩＸＣスイッチは自身のＳＳＣＰを有してもよい。図１の概要図の目的は、電気通信ネットワークで使用される要素の幅広い概念を与えることである。適切な要素のみが検討される。
【００１０】
特別サービス呼び出しは、呼び出し処理を完了するために、インテリジェントサービスネットワーク（ＩＳＮ）プラットフォームを要求してもしなくてもよい。図１において、ＩＳＮプラットフォーム９０を要求する呼び出しは、ＩＸＣネットワーク３０内のブリッジスイッチ３５に経路制御される。ＩＳＮプラットフォーム９０は要求される追加の呼び出し処理を実行する。例えば、呼び出しカード呼び出しがＩＳＮ９０へ経路制御されるのは、アカウント番号および個人の識別番号（ＰＩＮ）が入力され、データベースレコードと比較され得るためである。図１に示されているように、ＩＳＮ９０は経路制御データを検索するために、切り換えおよび経路制御４０要素に接続されるネットワークおよび請求情報を検索するためのＳＭＳ５０にも同様に接続される。「８００」呼び出しカード呼び出しは最初にブリッジスイッチ３５を介して自動呼び出し分配器（ＡＣＤ）９１へ経路制御されてもよく、そこでＩＳＮ９０でサービスされている呼び出しはパークされる。そこで、呼び出しは許可され有効にされ、呼び出しを正確に経路制御し、かつ請求するために、情報が収集される。それから、呼び出しはＩＸＣネットワーク３０に戻って解放される。
【００１１】
多くの点で有益であるが、皮肉にも「８００」番号システムの便利さが不正を永続させるために使用され得る。「８００」番号不正のあるタイプは、以下で述べられる顧客構内装置（ＣＰＥ）の権限外の使用である。いくつかの場合において、顧客は一週末の間に、１００，０００ドルに達する不正の請求を招き得る。公衆との良好な関係を維持するために、長距離通信業者（ＩＸＣ）はこれらの呼び出しの大部分の責任をしばしば取る。ＣＰＥ関連および他の不正による損失は、毎年２０億を超えると概算されている。
【００１２】
ＣＰＥ関連不正が発生するのは、第三者が顧客のＰＢＸ（構内交換機）への違法なアクセスを入手し、発信呼び出しを行うために発信音を盗むときである。もちろん、「８００」番号がそれらのＰＢＸへ入るのに好まれる方法であるのは、システムへハッキングする呼び出しでさえ無料だからである。発信呼び出しは、呼び出しの開始に関係なく、ＣＰＥの所有者に請求される。財政的な見地からすれば、最悪で最も高額な濫用の様式は国際呼び出しを含む。
【００１３】
ＣＰＥ関連「８００」番号不正の一例が図２に示されている。二つのＬＥＣを介したハッカー２００からの呼び出しの経路制御は同じである。図２に示されているように、呼び出しはＬＥＣ６０に到達する前に、ＩＸＣスイッチ３１、３２、３３および３４を介して経路制御され、ＬＥＣ６０で呼び出しはＬＥＣスイッチ６４からＬＥＣスイッチ６２へ飛び、ハッカーの的にされた被害者のＰＢＸへ到達する。「８００」番号呼び出しが法人顧客のＰＢＸ２５０に到達すると、ハッカー２００はそこにいないことを知っている誰かの内線にダイアルする。呼び出しは応答がないので、音声メッセージシステム（ＶＭＳ）２５２へ転送される。この点で、ハッカーは例えば、自分の電話の「＊」および「Ｔ」ボタンを押して、呼び出しの転送を要求する。いくつかのＰＢＸシステムにおいては、これはハッカー２００が＃記号によって続けられる内線番号を入力することを促がす、呼び出し転送特性を活性化する。ハッカーが到達を望む電話番号の最初の数字、そして最後には＃記号によって続けられる主要なアクセスコードの数字を入力することで、ハッカーは応答する。ＰＢＸ２５０は、主要なアクセスコードの数字の開始に応じて、発信する主要線を選択し、最初の数字をダイアルする。ハッカーは主要線に接続されると、残りの数字をダイアルする。図２において、完了した電話番号は中国の電話２９９である。従って、呼び出しはＰＢＸの外へ経路制御され、ＬＥＣ６０を介して戻り、ＩＸＣスイッチ３４および３６を介して、中国の電話２９９で終了する。電話システムに関する限り、その呼び出しはＰＢＸ２５０から起こり、ハッカー２００からではない。従って、請求レコードは、ＰＢＸ２５０の所有者が中国への高価な長距離呼び出しを行い、ハッカー２００ではないということを提示する。
【００１４】
最も不正な計画は証拠の形跡を残す。例えば、ハッカーが上で詳述した不正計画を試みるとき、ハッカーは通常ＰＢＸ２５０への正確な主要なアクセスコードを知らないので、ハッカーは主要線の外へ出るために、異なる数字の組み合わせを試みて、ＰＢＸ２５０へ繰り返しダイアルする。従って、ネットワークは短時間の間に、特定のＡＮＩから特定の「８００」番号に、長く連続して繰り返される短い呼び出しを見つける。大抵の不正制御は、そのような行為に対して閾値の値を設定することで動作する。短時間の間に特定のＡＮＩから「８００」番号への呼び出しが一定数以上あれば、警告は生成される。警告は行為を分析し、そのＡＮＩから「８００」番号への今後の呼び出しを遮断するかを判定する不正分析者か、あるいは類似の判定を行える自動化されたプログラムのいずれかに送信される。異なる行為には多様な警告が存在する。上の例において、ハッカー２００がＰＢＸ２５０へ入るのに成功すれば、そのＰＢＸから中国への一連の電話呼び出しは、警告を開始してもよい。
【００１５】
ＬＥＣあるいはＩＸＣのいずれが不正行為を発見し、ＡＮＩは特別サービス番号の呼び出しから遮断されるべきであると判定してもよい。判定がなされると、情報はベルコアＳＭＳ１００（図１を参照）に転送される。しかしながら、情報がベルコアＳＭＳ１００に記録されるには一定の時間がかかる。そして、ベルコアＳＭＳ１００で記録された後でさえ、特にＬＥＣ２０が自身のＳＭＳデータベースを維持する場合は、情報がＬＥＣ２０まで通るのに追加の時間がかかるかもしれない。不正行為の発見と遮断されたＡＮＩの記録との間の時間差は、ハッカーが自分の活動の続行に成功するのを許可する。
【００１６】
このシステムの一つの問題は、ＬＥＣが「８００」ゲートウエイの保護者であることである。「８００」呼び出しがＬＥＣ２０によって許可され有効にされると、ＩＸＣネットワーク３０は単に呼び出しを経路制御し、請求情報を追跡する。しかし、上述したように、ＩＸＣの不正制御ユニットが警告および疑わしい開始ＡＮＩを見つけ出すのは、それらがベルコアＳＭＳ１００に報告される前であり、ベルコアＳＭＳ１００は次に、それらをＬＥＣ２０へ報告する。このことは、不正な開始ＡＮＩは報告システムの段階を介して進むが、より多くの呼び出しがその開始ＡＮＩから特定の「８００」番号へなされ得るということを意味する。
【００１７】
従って、より早く効率的に不正な特別サービス呼び出しを防ぐためのシステムおよび方法に対する必要性が存在する。さらに、遮断された開始ＡＮＩ／「８００」番号の組み合わせがＬＥＣへ報告されるのを待つことなく、特定の開始ＡＮＩからの不正な「８００」番号呼び出しを検出しかつ停止するためのシステムおよび方法に対する必要性が存在する
。
【００１８】
この発明の一つの目的は、電気通信システムにおいて特定の開始ＡＮＩからの不正な呼び出しを遮断するための、改良されたシステムおよび方法を提供することである。
【００１９】
この発明の別の目的は、電気通信システムにおけるＩＸＣネットワークにおいて、特定の「８００」番号呼び出しを行うことから開始ＡＮＩを遮断するためのシステムおよび方法を提供することである。
【００２０】
上および他の目的の達成のために、長距離電話システムにおける不正な特別サービス呼び出しを遮断するためのシステムおよび方法が開示されている。地域電話会社（ＬＥＣ）内の開始番号の自動番号識別子（ＡＮＩ）は、長距離通信業者のサービス管理システム（ＳＭＳ）データベースにおける特別サービス呼び出し番号レコードにＡＮＩを含むことで、一定の特別サービス呼び出し番号への呼び出しから遮断される。遮断されるＡＮＩは、一定のネットワークトラフィックフロー閾値に基づいて、不正制御分析者によって選択される。長距離通信業者における切り換え要素が、特定の特別サービス呼び出しについてのＳＭＳレコードを検索すると、呼び出しの開始がＳＭＳレコードのＡＮＩに対応するかが判定される。合致すれば、呼び出しは遮断される。
【好ましい実施例の詳細な説明】
【００２１】
以下の説明において、用語「ネットワーク」は電気通信ネットワークを構成するために要求されるデータベース、トランクおよび電話線、ルータ、スイッチ、プロトコルおよびコンピュータの寄せ集めの簡単な記載である。
【００２２】
手短に言えば、好ましい実施例は、特定の開始ＡＮＩが特定の「８００」番号への呼び出しから遮断されるために、ＩＸＣ  ＳＭＳデータベースへ追加のフィールドを追加する。
【００２３】
先行技術において、ＩＸＣ  ＳＭＳ５０は「８００」番号および他の特別サービス呼び出しに関する経路制御および請求情報を維持した。この発明の好ましい実施例において、「８００」番号に関するＩＸＣ  ＳＭＳレコードは追加のフィールドを有している。例えば、番号「１−８００−９９９−１１１１」は、経路制御および請求情報を含むのとは別に、「１−８００−９９９−１１１１」呼び出しから遮断される開始ＡＮＩの無制限の番号をも含む、ＩＸＣ  ＳＭＳレコードを有する。
【００２４】
この発明の好ましい実施例において、呼び出しデータレコードは不正行為のパターンを検出するために、ＩＸＣ不正制御によって絶えず検閲されている。特定の「８００」番号への呼び出しに対して、短時間の呼び出しの合計、長時間呼び出しの合計、あらゆるタイプの呼び出しの合計、そしてあらゆるタイプの呼び出しからの累積分の合計が、疑わしいパターンに対して検閲されてもよい。さらに、危険な要素が特定のＮＰＡ−ＮＸＸあるいは国からの呼び出しに割り当てられてもよい。異なる危険要素の分析が特定の開始電話番号あるいはＡＮＩがおそらく不正行為の原因であると提示すると、そのＡＮＩはその特定の「８００」番号のＩＸＣ  ＳＭＳレコードの「Ｂａｄ  ＡＮＩ」フィールドに追加される。従って、不正開始ＡＮＩは不正な呼び出しをその「８００」番号へ行うことから遮断される。
【００２５】
例として、ハッカー２００が図３のＰＢＸ２５０の主要線の外にアクセスを試みていると考える。ハッカーは通常正確な外部の主要線のアクセス番号を知らないので、ハッカーは各呼び出しに新たなアクセスコードを試みて、呼び出しを繰り返す。この例では、繰り返される短期間呼び出しに対する閾値は４０であると仮定される。４０回目（４０ｔｈ）の呼び出しで、閾値警告が疑わしい活動を提示して、不正制御３９２で突然生じる。この点で、不正分析者あるいは自動化プログラムのいずれかが、その請求レコードおよび開始ＡＮＩについての履歴を検閲し、ハッカーが終了「８００」番号のＰＢＸへ不正にアクセスを試みていると結論付けてもよい。不正分析者あるいは自動化プログラムは、ＩＸＣ  ＳＭＳの「８００」番号レコードの「Ｂａｄ  ＡＮＩ」フィールドにハッカーの開始ＡＮＩを入力する。ハッカーが４１回目（４１ｔｈ）の呼び出しを試みれば、ＩＸＣスイッチ３１は経路制御情報のためにＳＳＣＰ４１へコンタクトをする。ＳＳＣＰ４１はＳＤＰ４５に問い合わせし、次にＳＤＰ４５はＩＸＣ  ＳＭＳ５０データベースに問い合わせする。ＩＸＣ  ＳＭＳは、その特定の開始ＡＮＩがその終了「８００」番号への呼び出しから遮断されていることを報告する。その後で、ＩＸＣスイッチは呼び出しを切断するか、あるいはさらなる調査のためにそれをＩＳＮプラットフォーム９０へ転送する。
【００２６】
先行技術では、不正なＡＮＩはベルコアＳＭＳ１００へ報告される必要があり、ベルコアＳＭＳ１００はそれをＬＥＣ２０へ報告する。これは、ＬＥＣ２０がハッカーのＡＮＩから「８００」番号を遮断する前に、ハッカーが外部の主要線のアクセスコードを発見してもよいほど、十分長い時間がかかることが可能である。この発明の好ましい実施例は、不正な「８００」番号を早くかつ効率的に遮断することを許可する。
【００２７】
当業者は理解するであろうように、電気通信ネットワークの多くの要素が、この発明の好ましい実施例には無関係であるとして省略されている。これらおよび他の詳細は、この発明の理解には不必要な詳細において、この発明を不明瞭にしないために省略されている。
【００２８】
上述の実施例は好ましい実施例であるが、多くの修正が当業者には自明である。例えば、サービスおよび制御の切り換えについての他の方法が使用され得る。ＳＳＣＰおよびＳＣＰと共にＳＳ７の準備は、この発明の他の実施例には必要でない。さらに、ＩＳＮプラットフォームは他の実施例においては必要でない。別の実施例において、不正なＡＮＩは、ＳＭＳよりはむしろ特別サービス呼び出しを経路制御するときに使用される、別のデータベースに格納されてもよい。
【００２９】
この発明がある好ましい実施例に関して述べられたが、発明はこの特定の実施例に限定されるものではなく、反対に、発明は添付のクレームによって規定される発明の精神および範囲内に入るすべての修正および均等物および代案をカバーすることが意図される。
【図面の簡単な説明】
【００３０】
上記および他の目的、局面および利点は以下の図面に例示されている好ましい実施例の以下の詳細な説明からよりよく理解される。図面において、同様の参照番号は同一または機能的に類似の要素を表す。
【図１】先行技術に従った、長距離電話呼び出しの経路制御の概要図である。
【図２】模範的な不正な「８００」番号呼び出しの経路制御の概要図である。
【図３】このシステムおよび方法の好ましい実施例に従った、模範的な不正な「８００」番号電話呼び出しの経路制御の概要図である。
【図１】
2004528789.tif 000003
【図２】
2004528789.tif 000004
【図３】
2004528789.tif 000005
【国際公開パンフレット】
2004528789.tif 000006
2004528789.tif 000007
2004528789.tif 000008
2004528789.tif 000009
2004528789.tif 000010
2004528789.tif 000011
2004528789.tif 000012
2004528789.tif 000013
2004528789.tif 000014
2004528789.tif 000015
2004528789.tif 000016
2004528789.tif 000017
2004528789.tif 000018
2004528789.tif 000019
2004528789.tif 000020
2004528789.tif 000021
2004528789.tif 000022
2004528789.tif 000023
2004528789.tif 000024
2004528789.tif 000025
【国際調査報告】
2004528789.tif 000026
2004528789.tif 000027